(57)【要約】【課題】直射日光による受熱を筐体内へ伝えにくくすると共に、筐体の外側の滞留熱も放熱可能として内部の温度上昇を効果的に抑制する。【解決手段】屋外に設置されて各種機器が収納されるボックス１は、背板、上板及び下板、左右の側板で形成されて前面を開口する本体２と、本体２の前面へ開閉可能に取り付けられる扉３とからなり、扉３には、複数の透孔８，８・・を形成した遮熱板５が、扉３から所定間隔をおいて取り付けられている。【選択図】図１
2019024047.tif 000002
【特許請求の範囲】
【請求項１】
屋外に設置されて各種機器が収納される屋外設置用筐体であって、
外面及び／又は内面に、複数の透孔を形成した遮熱板が、前記外面及び／又は前記内面から所定間隔をおいて取り付けられていることを特徴とする屋外設置用筐体。
【請求項２】
前記透孔は、φ１２．５ｍｍ未満の円形で、前記遮熱板に対する全体の開口率が２０％以上であることを特徴とする請求項１に記載の屋外設置用筐体。
【発明の詳細な説明】
【技術分野】
【０００１】
本発明は、屋外に設置され、蓄電池、電気設備、電気機器等の各種機器を収納する屋外設置用筐体に関する。
【背景技術】
【０００２】
蓄電池や分電盤等の各種機器を収納するボックスやラック、キャビネット等の筐体を屋外に設置する場合、内部の温度上昇を抑制して内部機器の保護を図る必要がある。例えば特許文献１には、筐体の外面に遮光板を、所定の間隙を形成して取り付けて、直射日光を避けるようにした発明が開示されている。
【先行技術文献】
【特許文献】
【０００３】
【特許文献１】特許第３３２７５２８号公報
【発明の概要】
【発明が解決しようとする課題】
【０００４】
上記特許文献１の発明においては、遮光板によって直射日光は遮ることができるものの、筐体と遮光板との間に熱が滞留しやすくなり、この滞留熱が筐体内に伝わることで温度上昇を抑制できないおそれがあった。
【０００５】
そこで、本発明は、直射日光による受熱を筐体内へ伝えにくくすると共に、筐体の外側の滞留熱も放熱可能として内部の温度上昇を効果的に抑制することができる屋外設置用筐体を提供することを目的としたものである。
【課題を解決するための手段】
【０００６】
上記目的を達成するために、請求項１に記載の発明は、屋外に設置されて各種機器が収納される屋外設置用筐体であって、
外面及び／又は内面に、複数の透孔を形成した遮熱板が、外面及び／又は内面から所定間隔をおいて取り付けられていることを特徴とする。
請求項２に記載の発明は、請求項１の構成において、透孔は、φ１２．５ｍｍ未満の円形で、遮熱板に対する全体の開口率が２０％以上であることを特徴とする。
【発明の効果】
【０００７】
請求項１に記載の発明によれば、屋外設置用筐体の外面及び／又は内面に、複数の透孔を形成した遮熱板を、外面及び／又は内面から所定間隔をおいて取り付けたことで、直射日光による受熱が内部へ伝わりにくくなると共に、屋外設置用筐体の外側の滞留熱も放熱可能となり、内部の温度上昇を効果的に抑制することができる。
請求項２に記載の発明によれば、請求項１の効果に加えて、透孔を、φ１２．５ｍｍ未満の円形で、遮熱板に対する全体の開口率が２０％以上となるように設けたことで、遮熱板との間の空気層からの放熱促進効果を維持できる。
【図面の簡単な説明】
【０００８】
【図１】ボックスの説明図で、（Ａ）が正面、（Ｂ）が側面、（Ｃ）が底面をそれぞれ示す。
【図２】ラックの説明図で、（Ａ）が正面、（Ｂ）が側面、（Ｃ）が背面、（Ｄ）が平面をそれぞれ示す。
【図３】キュービクルの説明図で、（Ａ）が正面、（Ｂ）が側面をそれぞれ示す。
【図４】内面に遮熱板を取り付けたボックスの説明図で、（Ａ）が正面、（Ｂ）が側面、（Ｃ）が背面をそれぞれ示す。
【発明を実施するための形態】
【０００９】
以下、本発明の実施の形態を図面に基づいて説明する。
図１は、屋外設置用筐体の一例であるボックスの説明図で、（Ａ）が正面、（Ｂ）が側面、（Ｃ）が底面をそれぞれ示す。このボックス１は、蓄電池等の収納用で、背板、上板及び下板、左右の側板で形成されて前面を開口する本体２と、本体２の前面へ開閉可能に取り付けられる扉３とからなる。４は、扉３に設けられたハンドルである。
そして、扉３の前面には、遮熱板５が設けられている。この遮熱板５は、正面視が扉３よりも一回り小さい矩形状となる金属製（鉄鋼等）の板体で、周囲の各辺には、後方へ折り曲げた補強用の折り返し部６，６・・がそれぞれ形成されて、ハンドル４の前方に当たる部位には、前方からのハンドル４の操作を許容するための窓７が形成されている。
【００１０】
また、遮熱板５には、複数の透孔８，８・・が形成されている。この透孔８は、矢印で図外に拡大して示すように、φ２．５ｍｍの大きさで形成された円形で、互いの中心間距離Ｄが３．５ｍｍとなるように等間隔で配列されている。図１（Ａ）では透孔８，８・・の一部のみ示しているが、遮熱板５の前面に対する全体の開口率が５０％前後となるように、窓７を除く遮熱板５の略全面に亘って均等に配列されている。
この遮熱板５は、扉３の前面で四隅近くに立設された高ナット９，９・・へ、前方からボルト１０，１０・・で固定することで、高ナット９の高さ分（例えば４０〜５０ｍｍ）の間隔をおいて扉３と平行に支持される。これにより、扉３と遮熱板５との間には、透孔８によって遮熱板５の前方と連通する空気層１１が形成されることになる。
【００１１】
以上の如く構成されたボックス１においては、壁等を背にして屋外に設置した状態では、前方からの直射日光を遮る遮熱板５と、扉３と遮熱板５との間に形成した空気層１１とにより、前方からの直射日光による受熱がボックス１内に伝わりにくくなる。特に、無風状態では、空気層１１が温められることで空気の対流が生じ、滞留熱が放出されると共に、遮熱板５に形成した透孔８，８・・を介して放熱が促進される。よって、ボックス１内部の温度上昇を効果的に抑制することができる。
【００１２】
このように、上記形態のボックス１によれば、扉３の外面（前面）に、複数の透孔８を形成した遮熱板５を、扉３から所定間隔をおいて取り付けたことで、直射日光による受熱が内部へ伝わりにくくなると共に、ボックス１の外側の滞留熱も放熱可能となり、内部の温度上昇を効果的に抑制することができる。
【００１３】
なお、上記形態では、遮熱板５を前面の扉３に設けているが、前面に限らず、背面や上面、左右の側面の何れかに設けてもよい。
また、図２に示す通信機器収納用のラック２０のように、屋根２１を除く周囲の４つの外面全てに、複数の透孔２３，２３・・を形成した遮熱板２２，２２・・を設けることもできる。ここでの遮熱板２２は、左右の側縁に折り曲げ形成した係止部２４，２４を、ラック２０の各外面に設けた図示しない被係止部に係止させることで、ラック２０の外面との間に空気層２５を形成した状態で取り付けられている。２６は、前後の扉に設けられたハンドル、２７は窓である。
従って、このラック２０によれば、周囲の４つの外面全てにおいて、直射日光による受熱が伝わりにくくなって各空気層２５から滞留熱が放出され、透孔２３，２３・・を介して放熱が促進されることで、ラック２０内部の温度上昇を効果的に抑制することができる。
【００１４】
勿論４面全てに限らず、前面を除く背面と左右の側面の３面とする等、設置状態に応じて遮熱板を設ける面は適宜選択できる。
さらに、遮熱板は１つの面に１枚とする構造に限らず、図３に示す受電設備収納用のキュービクル３０のように、前面にハンドル３２付きの２つの扉３１，３１が設けられる両開きタイプの筐体の場合は、左右の扉３１，３１に、複数の透孔３４，３４・・を形成した遮熱板３３をそれぞれ設けて扉３１との間に空気層３５を形成すればよい。特にここでは、扉３１のハンドル３２の回転操作上、各扉３１には、上下に分離した２枚の遮熱板３３，３３を設けて、下側の遮熱板３３に、ハンドル３２を回避する切欠き３６を形成している。
【００１５】
一方、遮熱板は筐体の外面に限らず、内面に設けることもできる。図４は、図１で説明したボックス１において、扉３の内面（裏面）に遮熱板５を、高ナット９及びボルト１０で取り付けて、扉３の内側に空気層１１を形成した例を示している。
この場合も、扉３と、扉３とその内側の遮熱板５との間に形成した空気層１１とにより、前方からの直射日光による受熱がボックス１内に伝わりにくくなり、空気層１１が温められることで空気の対流が生じ、滞留熱が放出されると共に、遮熱板５に形成した透孔８，８・・を介して熱の授受が促進される。よって、ボックス１内部の温度上昇を効果的に抑制することができる。
遮熱板を内面に設ける場合も扉のみに限らず、側板や上板、背板の内面に設けることも可能である。また、筐体の外面と内面との両方に遮熱板を設けることもできる。
【００１６】
そして、上記形態及び各変更例に共通して、遮熱板を複数の面に設ける場合、各面ごとに遮熱板は独立して設けるのが放熱効果上望ましいが、隣接する複数の面にそれぞれ遮熱板を設ける場合は、２枚の遮熱板を連続させた一枚のＬ字状や、３枚の遮熱板を連続させた一枚のコ字状として、複数の面に跨がって設けることは可能である。
【００１７】
また、遮熱板に設ける透孔は、上記例に限らず、円形であればφ１２．５ｍｍ未満、遮熱板に対する全体の開口率が２０％以上であれば、空気層からの放熱促進効果が維持できるため、この条件下であれば大きさや配置形態は適宜変更可能である。また、透孔の形状は、円形に限らず、長孔や角孔等であっても差し支えないし、大きさや形状が異なる透孔を混在させても差し支えない。遮熱板の取り付け方法も高ナット以外に金具等を用いることができる。遮熱板と外面及び／内面との間隔も上記例に限定されない。
【符号の説明】
【００１８】
１・・ボックス、２・・本体、３・・扉、５，２２，３３・・遮熱板、８，２３，３４・・透孔、１１，２５，３５・・空気層。
【図１】
2019024047.tif 000003
【図２】
2019024047.tif 000004
【図３】
2019024047.tif 000005
【図４】
2019024047.tif 000006